(57)【要約】【課題】グラフィカルユーザインタフェース（ＧＵＩ）のシェーディング要素を提供するシステム、方法、及び、計器群ディスプレイデバイスを提供する。【解決手段】ＧＵＩシェーディング要素は、メカニカルディスプレイ構造の機械的要素（例えば、ゲージ上の指針）によって作られる影を複製する。本明細書に開示した態様によれば、光センサとは独立して太陽の位置を検出する。【選択図】図４
2016194924.tif 000002
【特許請求の範囲】
【請求項１】
グラフィカルユーザインタフェース（ＧＵＩ）要素を有するデジタルディスプレイ上にＧＵＩのシェーディング要素を提供するシステムであって、
前記ディスプレイを見る人に関連付けられた向きに関する情報を受信する向き受信部と、
前記受信した向きと現在時刻とに基づいて、太陽の位置を検出する太陽検出部と、
前記ＧＵＩ要素に基づいて前記ＧＵＩシェーディング要素をレンダリングする再レンダリング部と、を備え、前記ＧＵＩシェーディング要素は、前記ＧＵＩ要素の機械的バージョンが再生するであろうシェーディング要素を複製するようにレンダリングされる、システム。
【請求項２】
前記ディスプレイの位置に関する情報を受信する位置受信部をさらに備え、前記太陽検出部は、前記ディスプレイの前記位置にさらに基づいて、太陽の前記位置を検出する、請求項１に記載のシステム。
【請求項３】
前記システムは、前記ディスプレイの前記受信した向きと前記受信した位置をサーバに通信し、太陽の前記位置を前記サーバを介して受信する、請求項２に記載のシステム。
【請求項４】
前記太陽検出部は、太陽の前記位置を計算するように構成される、請求項２に記載のシステム。
【請求項５】
現在の天候条件に基づいて、前記ＧＵＩシェーディング要素をレンダリングすることをさらに備える、請求項３に記載のシステム。
【請求項６】
計器群のディスプレイであって、
メカニカルゲージのグラフィック描写をデジタルで表現するように構成されたデジタルディスプレイ画面であって、機械的な指針のグラフィカルユーザインタフェース（ＧＵＩ）要素をレンダリングするように構成されたデジタルディスプレイと、
光センサから独立して、太陽の位置を検出する太陽検出部と、を備え、
前記デジタルディスプレイは、太陽の前記検出した位置に基づいてＧＵＩシェーディング要素をレンダリングし、前記ＧＵＩシェーディング要素は、前記機械的な指針の前記ＧＵＩ要素に関連してレンダリングされる、計器群のディスプレイ。
【請求項７】
太陽の前記位置は、全地球測位衛星（ＧＰＳ）を介して提供された情報を用いて検出される、請求項６に記載の計器群のディスプレイ。
【請求項８】
太陽の前記位置は、羅針盤を介して提供された情報を用いて検出される、請求項６に記載の計器群のディスプレイ。
【請求項９】
前記レンダリングは、現在の天候条件に基づく、請求項６に記載の計器群のディスプレイ。
【請求項１０】
グラフィカルユーザインタフェース（ＧＵＩ）要素を有するデジタルディスプレイ上にＧＵＩのシェーディング要素を提供する方法であって、
デジタルディスプレイの向きに関する情報を取得するステップと、
前記向きと時刻とに基づいて太陽の位置を決定するステップと、
ＧＵＩ要素が表現している機械的物体によって生成される影を複製するように、前記ＧＵＩ要素のＧＵＩシェーディング要素をレンダリングするステップと、を備え、
前記取得するステップ、前記決定するステップ、及び、前記レンダリングするステップは、プロセッサを介して行われる、方法。
【請求項１１】
前記デジタルディスプレイの位置に関する情報を取得するステップと、前記デジタルディスプレイの前記位置にさらに基づいて前記ＧＵＩシェーディング要素をレンダリングするステップと、をさらに備える、請求項１０に記載の方法。
【請求項１２】
現在の天候条件に関する情報を取得するステップと、前記現在の天候条件にさらに基づいて前記ＧＵＩシェーディング要素をレンダリングするステップとをさらに備える、請求項１０に記載の方法。
【発明の詳細な説明】
【背景技術】
【０００１】
従来、多くの環境において、スイッチ、指針、ダイヤル等の機械的要素を用いてディスプレイを実装していた。機械的要素は、様々なセンサ及び電子システムに接続されてよく、受信した情報に基づいて状態を移動または変更するように構成されてよい。
【０００２】
機械的要素は、見る人に三次元体験を描写または提供し得る。例えば、指針を使用する場合、指針は、指示部（ｉｎｄｉｃｉａ）の表面上に配置されてよく、指針の突出を容易にする軸に接続されてよい。
【０００３】
図１は、従来の実装によるメカニカルディスプレイ１００の実施例を示す。図１に示すように、メカニカルディスプレイ１００は、指示部１１０、指針１２０、及び、軸１３０を備える。軸１３０は、指針１２０が指示部１１０とは異なる平面に存在するのを容易にする。光源１５０（図１では太陽として示されている)から受ける光に応じて、影１４０が生成される。
【０００４】
近年、メカニカルディスプレイは、デジタルディスプレイまたは電子ディスプレイに置き換えられつつある。デジタルディスプレイまたは電子ディスプレイは、デジタル駆動回路等のソースからレンダリング情報を受信し、受信した情報に従ってデジタル情報をレンダリングし得る。
【０００５】
例えば、車両の計器群において、デジタルで提供された指針を備えてよい。指針は、速度、燃料容量、毎分回転数（ＲＰＭ）等、自動車の機能の様々な要素を表示するために利用されてよい。デジタル表示情報は、最終的に、受信された情報に従ってグラフィカルユーザインタフェース（ＧＵＩ）要素をレンダリングするために利用されてよい。
【０００６】
機械的ユーザインタフェース（ＵＩ）からデジタルＵＩへの移行は、本物らしくもリアルにも見えない可能性がある。従って、この移行は、美的でないと見なされることも多い。
【発明の概要】
【０００７】
以下の記載は、受信したパラメータに基づいて、グラフィカルユーザインタフェース（ＧＵＩ）のシェーディング要素を提供することに関する。例示の実施形態は、また、システム、無線充電装置、ディスプレイ、または、それらの組み合わせに関する。
【０００８】
発明の追加の特徴を以下に記載する。特徴は、ある程度、記載から明らかとなり、発明の実践により知ることができる。
【０００９】
ＧＵＩ要素を有するデジタルディスプレイ上でグラフィカルユーザインタフェース（ＧＵＩ）のシェーディング要素を提供するシステムを本明細書に記載する。システムは、ディスプレイを見る人に関連付けられた向きに関する情報を受信する向き受信部と、受信した向きと現在の時刻に基づいて太陽の位置を検出する太陽検出部と、ＧＵＩ要素に基づいてＧＵＩシェーディング要素をレンダリングする再レンダリング部とを備える。ＧＵＩシェーディング要素は、ＧＵＩ要素の機械的バージョンが生成するであろうシェーディング要素を複製するようにレンダリングされる。
【００１０】
ＧＵＩ要素を有するデジタルディスプレイ上にグラフィカルユーザインタフェース（ＧＵＩ）のシェーディング要素を提供する方法を本明細書に記載する。方法は、デジタルディスプレイの向きに関する情報を取得することと、当該向きと時刻に基づいて太陽の位置を決定することと、ＧＵＩ要素のＧＵＩシェーディング要素を当該ＧＵＩ要素が表している機械的物体が生成する影を複製するようにレンダリングすることとを含む。
【００１１】
前述の一般的な記載と以下の詳細な記載は、例示的、説明的なもので、特許を請求する発明のさらなる説明を意図していることは、理解されたい。他の特徴及び態様は、以下の詳細な記載、図面、及び、請求項から明らかとなる。
【００１２】
詳細な記載は、以下の図面を参照しており、図面中、同じ番号は同じ品目を指している。
【図面の簡単な説明】
【００１３】
【図１】従来の実装によるメカニカルディスプレイの実施例を示す図である。
【図２】デジタルディスプレイとして実装されたメカニカルディスプレイの実施例を示す図である。
【図３】実施例のコンピュータを示すブロック図である。
【図４】ディスプレイの位置情報に基づいてシェーディングを組み込むシステムを示す図である。
【図５】ディスプレイの位置情報に基づいてシェーディングを組み込む方法を示す図である。
【図６Ａ】図４のシステム及び図５の方法を実装する例を示す図である。
【図６Ｂ】図４のシステム及び図５の方法を実装する例を示す図である。
【発明を実施するための形態】
【００１４】
添付の図面を参照して、以下に発明をより詳細に記載する。図面には、発明の例示的な実施形態が示されている。しかしながら、本発明は、多くの異なる形態で具体化してよく、本明細書に記載の実施形態に限定されると解釈すべきではない。むしろ、これらの例示的な実施形態は、本開示の徹底的な説明のために提供され、これらの実施形態によって、本明細書の範囲は当業者に完全に伝わるであろう。本開示の目的で、「各〜の少なくとも１つ」は、列挙された要素の複数の組み合わせを含む各語の後に列挙される要素の任意の組み合わせを意味すると解釈されると理解される。例えば、「Ｘ、Ｙ、Ｚの少なくとも１つ」は、Ｘだけ、Ｙだけ、Ｚだけ、または、Ｘ、Ｙ、Ｚの複数の品目の任意の組み合わせ（例えば、ＸＹＺ、ＸＺ、ＹＺ、Ｘ）を意味すると解釈される。図面及び詳細な説明を通して、別段の記載のない限り、同じ参照番号は、同じ要素、特徴、構造を指すと理解される。これらの要素の相対的な大きさ及び描写は、分かりやすくするため、図示のため、また、便利なように誇張されている場合もある。
【００１５】
計器群に見られるディスプレイ等のディスプレイは、電子センサ等のセンサから受信した様々な情報に基づいて、見る人に情報を提供することができる。背景技術の項で説明したように、ディスプレイは、従来、ゲージ、回転つまみ等の機械的要素で実装されていた。機械的要素によって、図１に示す影１４０等の影が現れた。
【００１６】
ディスプレイはますますデジタル化されている。図２は、デジタルディスプレイ２００として実装されたメカニカルディスプレイ１００の実施例を示す。図２に示すデジタルディスプレイ２００は、指示部用ＧＵＩ要素２１０、指針用ＧＵＩ要素２２０等、様々なＧＵＩ要素を含む。デジタルディスプレイ２００は、見る人にとって、やや面白みがなく美的でないように見えるかもしれない。
【００１７】
従って、ディスプレイ２００の実装者は、ディスプレイ２００がよりリアル（すなわち、メカニカルディスプレイ１００の複製)であることを望むかもしれない。様々な技術を採用して、例えば、図２に示すように、デジタルディスプレイ２００は、ルック＆フィールにおいてメカニカルディスプレイ１００を複製するように構成されてよい。しかしながら、様々な因子を除外してよい。
【００１８】
特定の状況に基づいたグラフィカルユーザインタフェース（ＧＵＩ）のシェーディングを組み込むシステム、方法、及び、ディスプレイデバイスを本明細書に開示する。デジタルディスプレイは単一の平面を有するが、本明細書に開示の態様を採用して、ディスプレイ２００は、リアルなシェーディング効果を複製してよい。従って、デジタルディスプレイ２００の実装者は、よりリアルで（すなわち、メカニカルディスプレイの複製）、美的に満足させる環境を提供し得る。
【００１９】
図３は、コンピュータ３００の実施例を示すブロック図である。コンピュータ３００は、チップセット３０４に接続された少なくとも１つのプロセッサ３０２を備える。チップセット３０４は、メモリコントローラハブ３２０と、入力／出力（Ｉ／Ｏ）コントローラハブ３２２を備える。メモリ３０６及びグラフィックアダプタ３１２は、メモリコントローラハブ３２０に接続され、ディスプレイ３１８は、グラフィックアダプタ３１２に接続される。記憶装置３０８、キーボード３１０、ポインティングデバイス３１４、及び、ネットワークアダプタ３１６は、Ｉ／Ｏコントローラハブ３２２に接続される。コンピュータ３００の他の実施形態は、異なるアーキテクチャを有してよい。
【００２０】
記憶装置３０８は、ハードドライブ、コンパクトディスクリードオンリメモリ（ＣＤ‐ＲＯＭ）、ＤＶＤ、または、固体メモリ装置等の非一時的コンピュータ可読記憶媒体である。メモリ３０６は、プロセッサ３０２が使用する命令及びデータを保持する。ポインティングデバイス３１４は、マウス、トラックボール、ハンドルコントロール、他の種類の自動車のタッチスクリーンコントロール、または、他の種類のポインティングデバイスであり、キーボード３１０と組み合わせて用いられて、コンピュータ３００にデータを入力する。ポインティングデバイス３１４は、ゲーム機コントローラ、または、ゲーム機を制御するのに用いられる任意の種類の装置であってもよい。例えば、ポインティングデバイス３１４は、生体スキャンを採用して特定のユーザを検出するビデオまたは画像撮影装置に接続されてよい。特定のユーザは、モーションまたはジェスチャを利用してポイントデバイス３１４に命令することによって、コンピュータ３００の様々な態様を制御してよい。
【００２１】
グラフィックアダプタ３１２は、画像及び他の情報をディスプレイ３１８に表示する。ネットワークアダプタ３１６は、コンピュータシステム３００を１つまたは複数のコンピュータネットワークに接続する。
【００２２】
コンピュータ３００は、本明細書に記載の機能を提供するコンピュータプログラムモジュールを実行するように適合される。本明細書で使用される用語「モジュール」は、特定の機能を提供するために使用されるコンピュータプログラムロジックを指す。従って、モジュールは、ハードウェア、ファームウェア、及び／または、ソフトウェアで実装することができる。一実施形態においては、プログラムモジュールは、記憶装置３０８に記憶され、メモリ３０６にロードされ、プロセッサ３０２によって実行される。
【００２３】
本明細書に開示のエンティティ及びプロセスによって用いられるコンピュータの種類は、実施形態と、エンティティが必要とする処理能力とに応じて変わってよい。コンピュータ３００は、モバイルデバイス、タブレット、スマートフォン、または、上に列挙した要素を有する任意の種類のコンピュータ要素であってよい。例えば、ハードディスク、固体メモリ、または、記憶装置等のデータ記憶装置は、分散データベースシステムの形で記憶されてもよい。分散データベースシステムは、協働して本明細書に記載の機能を提供する多くのブレードサーバを含む。コンピュータは、キーボード３１０、グラフィックアダプタ３１２、及び、ディスプレイ３１８等の上記のコンポーネントの幾つかを欠いてもよい。
【００２４】
コンピュータ３００は、本明細書に開示のコンテンツ共有サービスのためのサーバ（図示せず）として働いてよい。コンピュータ３００は、他のコンピュータ３００装置と集まってサーバを創造してよい。サーバを構成する様々なコンピュータ３００装置は、ネットワーク４５０を介して互いに通信してよい。
【００２５】
図４は、ディスプレイ４６０の位置情報に基づいてシェーディングを組み込むシステム４００を示す。ディスプレイ４６０は、光要素(ｌｉｇｈｔｅｄ  ｅｌｅｍｅｎｔ)を介してデジタルデータを複製するように構成された電子表示システムである。
【００２６】
システム４００は、上記のコンピュータ３００等、プロセッサ上で実装してよい。システム４００は、位置受信部４１０、向き受信部４２０（orientation receiver）、太陽検出部４３０、及び、再レンダリング部４４０を備える。
【００２７】
システム４４０は、電子制御ユニット（ＥＣＵ）４４５に（有線または無線）で接続されてよい。ＥＣＵ４４５は、図４に示す様々な電子コンポーネントに情報を通信し、当該コンポーネントから情報を通信される。一実施例においては、ＥＣＵ４４５は、ネットワーク４５０を介してサーバ４７０に接続される。
【００２８】
図４に示すように、ＥＣＵ４４５は、システム４００から入力を受信し、ネットワーク４４５を介してサーバ４７０から情報を読み出す。代わりの実施例においては、読み出される情報は、図４に示す永続記憶装置４７５等のローカル記憶装置から読み出されてよい。永続記憶装置４７５は、記憶装置３０８に関して上記に列挙した記憶装置のうちの任意の記憶装置であってよい。図４においては、永続記憶装置４７５は、ネットワーク４５０を介してシステム４００に接続される。しかしながら、別の実施例においては、永続記憶装置４７５は、ローカルで提供されてよい。
【００２９】
図４には、電子ディスプレイ４６０も示されている。電子ディスプレイ４６０は、ＧＵＩ要素４４１、４４２等の様々なグラフィカルユーザインタフェース（ＧＵＩ）要素を表示するよう構成される。図示の実施例においては、ＧＵＩ要素４４１は、ゲージに関連付けられた指針である。電子システムが、値（燃料の量、速度等）を示すと、ＧＵＩ要素４４１は、電子システムに示されたものと関連付けられた量に基づいて、電子ディスプレイ４６０上の位置にレンダリングされる。ＧＵＩ要素４４２のレンダリングは、システム４００によって達成される。その詳細を以下にさらに説明する。
【００３０】
位置受信部４１０は、位置検出部４８０とインタフェースを取り、システム４００及び／またはＥＣＵ４４５（または、ＥＣＵ４４５に関連付けられた車両もしくは物体)の現在位置に関連するデジタル情報(位置情報４１１)を受信する。位置情報４１１は、座標、地図上の点等、現在の位置に関連する任意のデータであってよい。位置検出部４８０は、全地球測位衛星（ＧＰＳ）４８１を用いて、この情報を入手してよい。
【００３１】
図４に示す実施例においては、ＧＰＳ４８１は、位置検出部４８０と一体化されて提供される。しかしながら、情報は、ＥＣＵ４４５が備えられている状態または状況に組み込まれたＧＰＳ４８１を介して受信されてもよい。多くの車両は、内蔵ＧＰＳシステムを備える。従って、内蔵ＧＰＳシステムは、システム４００と共に、同様に、動作または協働するように構成されてよい。
【００３２】
位置情報４１１は、記憶装置３０８に関して記載したような一時的なレジスタまたはメモリに記憶されてよい。
【００３３】
向き受信部４２０は、ＥＣＵ４４５及び／またはシステム４００が配置された物体の向き情報４２１を受信する。向き情報４２１は、ＥＣＵ４４５の車両またはディスプレイ４６０を見る人がどちらの方向を向いているかに関する方向（すなわち、東西南北の方向）に一致する。図４が車両を表す実施例においては、運転者及び車両の正面が北を向いている場合、向き情報４２１は、「北」を示す。
【００３４】
一実施例においては、向き情報４２１は、ＧＰＳ４８１から取得される。しかしながら、羅針盤の使用（方向４８２として示される）等、他の向き検出技術も採用されてよい。
【００３５】
太陽検出部４３０（solar detector）は、ネットワーク４５０を介してサーバ４７０に、（または、ネットワーク４５０に接続されていないローカルデータベースに)、位置情報４１１及び向き情報４２１を通信する。応答して、サーバ４７０は、ルックアップテーブルを相互参照し、永続記憶装置４７５を介して、シェーディング情報４３１を読み出してよい。
【００３６】
シェーディング情報４３１は、一実施例においては、太陽または光源がどこにあるかを示すものであってよい。この実装においては、シェーディング情報４３１は、次に、シェーディングＧＵＩ要素４４２を生成するために、太陽検出部４３０によって処理されてよい。
【００３７】
別の実施例においては、サーバ４７０は、シェーディングＧＵＩ要素４４２を直接伝えるように構成されてよい。この場合、サーバ４７０は、永続記憶装置４７５を相互参照し、シェーディングＧＵＩ要素４４２（シェーディング情報４３１の代わりに)をシステム４００に通信してよい。このシナリオにおいて、太陽検出部４３０はシェーディングＧＵＩ要素４４２のレンダリングまたは作成のために何も処理することがないように構成される。
【００３８】
シェーディングＧＵＩ要素４４２は、次に、再レンダリング部４４０（re-renderer）を介してディスプレイ４６０に通信される。再レンダリング部４４０は、ディスプレイ４６０上に表示中の既存の画像を取得し、シェーディングＧＵＩ要素４４２を追加してよい。あるいは、シェーディングＧＵＩ要素４４２は、ＥＣＵ４４５に通信されてよく、ＥＣＵ４４５の一部として含まれるディスプレイドライバ４４６を介して再レンダリングされてよい。従って、ディスプレイ４６０を介して伝えられる画像及び情報は、ＧＵＩシェーディング要素４４２を含んでよい。
【００３９】
ＧＵＩシェーディング要素４４２は、ＧＵＩ要素４４１が機械的（すなわち、非デジタル）要素であるとすればＧＵＩ要素４４１に関連する影を表現したものである。従って、ＧＵＩシェーディング要素４４２は、位置４１１及び向き４２１の知識に基づいてよい。太陽（または他の光源）の推定位置は、羅針盤に関連する情報のみから決定されてよい。しかしながら、太陽の位置の正確さは、上記の関連する少なくとも２つの情報等の、より多くの情報を用いると向上する。さらに、太陽の推定位置は、時刻４７１によって知ってもよい。
【００４０】
別の実施例においては、図示されていないが、太陽の推定位置は、現在の天候情報４７２を知ることによって支援されてもよい。この場合、シェーディングＧＵＩ要素４４２の生成は、その日が晴れている（すなわち、影が現れる）か、または、曇っている（すなわち、影がおそらく現れない）か、を表現してよい。
【００４１】
上記方法において、システム４００は、デジタルディスプレイを維持しながら、非デジタルディスプレイの生成及びフィールを促進し得る。
【００４２】
図５は、ディスプレイの位置情報に基づいたシェーディング（shading）を組み込む方法５００を示す。方法５００は、上記のコンピュータ３００等のコンピュータに記憶されてよい。方法５００とその動作に関して記載した様々な概念は、システム４００に同様に組み込まれてもよく、逆の場合も同様である。
【００４３】
動作５１０において、位置を取得する。位置は、ＧＰＳ等、既知の位置検出技術を介して取得されてよい。位置が分かると、動作５２０において、向きを取得してよい。向きは、ディスプレイを見る人が見ている方向を指す。
【００４４】
向きを取得する方法は幾つかある。そのうちの２つを図５に示す。方法５００の実装には、両方の方法を組み込んでよく、従って、どちらかに限定されない。動作５２１においては、向きを求めるためＧＰＳに頼る。しかしながら、別の実施例においては、羅指針盤等の向き検出装置を採用してよい（動作５２２）。
【００４５】
図５に示す方法５００においては、位置及び向きの両方を取得する。しかしながら、方法５００の一部の実装においては、向きのみを取得してよい。位置及び向きの両方を取得する場合、ディスプレイに対する太陽の位置を示す精度が向上し得る。
【００４６】
ディスプレイの位置と、ディスプレイを見る人の向きの片方または両方を取得する重要性は、太陽の相対位置を決定し得るということである。例えば、太陽が西にあり、ディスプレイを見る人が北に向かう車内にいる場合、見ている人（すなわち、北に向いている人）の向きを知ることによって、太陽とディスプレイとの相互関係の知識も確かめられてよい。このようにして、ディスプレイ上にどんな影を作り出すかという知識を判断してよい。
【００４７】
動作５３０において、動作５１０、５２０で取得された情報は、生成された影に変換することができる情報に取得された情報を変換するように構成されたサーバまたはプロセッサに通信される。動作５１０、５２０で取得された情報は、時刻、及び／または、現在の天候条件等の、他の既知の情報と組み合わされてよい。
【００４８】
図５において、方法５００の２つの異なる実装を示す。１つの実装においては、方法５００は、動作５４０に進む。動作５４０において、シェーディングに関連するＧＵＩ要素を読み出す。シェーディングＧＵＩ要素は、ディスプレイ上に既に存在するＧＵＩ要素を増強するために採用されてよい。図６Ａ、６Ｂに示す実施例においては、既存のＧＵＩ要素は指針であり、シェーディングＧＵＩ要素は、ディスプレイが図１に示すメカニカルゲージであれば現れるような影を複製する。
【００４９】
別の実装においては、動作５３０、５４１をつなぐ分岐によって示されるように、シェーディングＧＵＩ要素は、動作５１０、５２０（または、動作５２０のみ)で取得された情報を用いて生成される。
【００５０】
動作５４１において、太陽の位置を読み出す。これは、取得された情報によって達成されてよく、時刻５４３によって増強されてよい。さらに、別の実施例においては、天候５４４が（すなわち、天候サーバから)読み出されてよい。
【００５１】
動作５４２において、次に、取得された情報（全てまたは一部）を用いて、シェーディングＧＵＩ要素を再作成する。シェーディングＧＵＩ要素（動作５５０において）は、関連するディスプレイ５００に通信される。
【００５２】
図６Ａ及び図６Ｂは、システム４００と方法５００の実装の例を示す。図示のディスプレイ４６０は、車両の計器群である。当該計器群は、様々な指示部、ゲージ、及び、標準的な計器群の実装における他の一般的に見られる情報を伝える画面を示す。
【００５３】
図６Ａ及び図６Ｂは太陽６００も示す。図示のように、時刻表示によって、太陽６００は、時刻及び車両の向きに対して、空の異なる部分に存在する。図６Ａにおいて、車両は、北を向いている。図６Ｂにおいて、車両は南を向いている。両方の場合の時刻は同じである。
【００５４】
本明細書に開示の態様を採用して、ＧＵＩの指針要素４４１は、ディスプレイ上にシェーディングＧＵＩ要素４４２を付加してよい。このようにして、デジタルでレンダリングされた影が、ディスプレイ４６０の各提示で作成される。
【００５５】
システム４００は、位置、向き、（または、向きのみ）と、時刻とだけを認識する必要がある。上記のように、他の実装においては、天候情報も採用してよい。一旦、これらの因子が分かると、シェーディングＧＵＩ要素４４２が作成され、ディスプレイ４６０上にレンダリングされてよい。図６Ａ及び図６Ｂに示すように、シェーディングＧＵＩ要素４４２は、ＧＵＩの指針４４１が機械的な指針であれば現れる影を複製する。
【００５６】
本発明の精神や範囲を逸脱することなく、本発明に様々な修正、変形を行い得ることは、当業者には明らかであろう。従って、本発明は、本発明の修正及び変形が請求項及びその同等物の範囲内にある限り、当該修正及び変形を包含するものとする。
【図１】
2016194924.tif 000003
【図２】
2016194924.tif 000004
【図３】
2016194924.tif 000005
【図４】
2016194924.tif 000006
【図５】
2016194924.tif 000007
【図６Ａ】
2016194924.tif 000008
【図６Ｂ】
2016194924.tif 000009